(57)【要約】【課題】    光輝描画部を有する透明体を使用した複数色の表示装置において、より少ない透明体でより多くの色を表現するとともに複数枚の透明体を使用することによる表示の奥行きの不自然さを解消する。【解決手段】  光輝描画部を有する透明体にスリットを設けることにより複数色の光源から照光される色の混色を防ぎ、片側表面に設けた光輝描画部とスリットと複数色の光源を持つ透明体２枚の描画部どうしを内側にして重ね合わせることにより、同一平面上で複数色を表現し、描画部の奥行きの違いから生じる違和感の無い表示を可能にする。【選択図】図１
0003124753.tif 000002
【実用新案登録請求の範囲】
【請求項１】
表面部又は内部或いはその両方に形成された光輝描画部及びスリットを設けた透明体と描画部を照光する複数色の光源からなる表示装置。
【請求項２】
片側表面に形成された光輝描画部及びスリットを設けた透明体と描画部を照光する複数色の光源からなるユニット２枚の描画部どうしを内側にして張り合わせることにより同一平面上で画像表現することを特長とする表示装置。
【請求項３】
スリット部に反射板を入れることを特長とする請求項１及び請求項２のいずれかに記載の光輝描画部を有する透明体を使用した複数色の表示装置。
【考案の詳細な説明】
【技術分野】
【０００１】    本考案は透明体に形成した描画部に光を照光し描画部を光輝させる表示装置に関する。
【背景技術】
【０００２】    従来よりサンドブラスト、レーザー等により形成された描画部を持つ透明体にＬＥＤ等の光を照光して描画部を光輝させる表示装置は知られている。また各色に対応した描画透明体ユニットを複数使用して複数色の表示をする表示装置も知られている。【０００３】
【特許文献１】    特開２００２−３６８００号公報
【特許文献２】    特開２００２−２１１１９７号公報
【特許文献３】    特開２００２−２４４５９６号公報
【特許文献４】    特開２００３−２００７００号公報
【考案の開示】
【考案が解決しようとする課題】
【０００４】    しかしながら、１枚の透明体で１色しか表示できないため、複数色を表示するには各色に対応する透明体を複数使用しなければならず、装置全体の厚さが非常に厚く、また重量も重くなるなどの欠点を有していた。また描画部の奥行きの違いにより表示自体にも違和感があった。
【課題を解決するための手段】
【０００５】    本考案は請求項１では光輝描画部を有する透明体にスリットを入れることにより一枚の透明体で複数の色を表現するものである。また請求項２の考案では片側表面に形成された光輝描画部及びスリットを設けた透明体と描画部を照光する複数色の光源からなるユニット２枚の描画部どうしを内側にして重ね合わせることにより同一平面上でより多くの色を表現するものである。
【考案を実施するための最良の形態】
【０００６】    本考案は、サンドブラスト、レーザー等で形成した描画部とスリットを設けたガラス、アクリル等の透明体に側面から複数色のＬＥＤ等で光を照光し描画部を複数色に光輝させるものである。また片側表面に形成した描画部とスリットを設けた透明体にＬＥＤ等で側面から光を照光したユニットを描画部どうしを内側にして重ね合わせることによりさらに多くの色を表現するものである。
【実施例】
【０００７】  以下、本考案の光輝描画部を有する透明体を使用した複数色の表示装置について図面を参照して説明する。図１ではアクリル板２の表側表面にサンドブラストで３、４、５の描画部を形成し、ＬＥＤ７と７とは異なる色のＬＥＤ８を埋め込んでいる。通常、スリットの無い一枚のアクリル板に異なる色の光を照光すると色が混じってしまい全面が混合色一色になってしまう。ところが実施例のようにスリット６を設けその両側にＬＥＤ７と７とは異なる色のＬＥＤ８とで光を照光した場合、それぞれのＬＥＤの色は混色することなく描画部３ではＬＥＤ７の色が単色で発色し、描画部５ではＬＥＤ８の色が単色で発色する。さらに描画部４ではＬＥＤ７とＬＥＤ８の混合色が発色する。その結果一枚のアクリル板の中で、３種類の色を表現することが可能となる。本実施例ではスリットは一本のみであるがスリットの数を増やすことでより多くの色を表現することが可能となる。またスリットの形状や場所も限定するものではなく、様々な形状や場所にスリットを設けることでより複雑な意匠を表現することも可能となる。【０００８】    次に図２、図３、図４は請求項２を実施したものである。図２ではアクリル板１０の表側表面にサンドブラストで１１、１２、１３、１４の描画部を形成し、ＬＥＤ１５を埋め込んでいる。図３ではアクリル板１７の裏側表面にサンドブラストで１８、１９、２０、２２、２４、２６の描画部を形成しＬＥＤ２１、ＬＥＤ２５を埋め込みスリット２３を設けている。図４は図２の本体９と図３の本体１６を描画部どうしを内側にして重ね合わせたものを正面から見た図である。ここで図２−ＬＥＤ１５に赤色、図３−ＬＥＤ２１に青色、図３−ＬＥＤ２５に緑色を点灯させた場合、図４ではどのように発色するのか説明する。まず図４−描画部２７では図２の描画部１１だけがＬＥＤ１５の赤色に発色するので赤になる。図４−描画部２８では図３の描画部１８がＬＥＤ２１の青色とＬＥＤ２５の緑色の混色での発色によりシアンになる。図４−描画部２９では図２−描画部１２のＬＥＤ１５赤色による発色と図３−描画部１９のＬＥＤ２１青色とＬＥＤ２５緑色による発色の３色の混色により白になる。図４−描画部３０では図３−２０のＬＥＤ２１青色による発色により青になる。なぜなら、図３−アクリル板１７にはＬＥＤ２１の青色とＬＥＤ２５の緑色の２色が照光されるがスリット２３があるため図３−描画部２０ではＬＥＤ２１の青色とＬＥＤ２５の緑色は混色することはくＬＥＤ２１の青色だけが発色する。同様の理由により図４−描画部３２では図３−描画部２４のＬＥＤ２５緑色による発色により緑になる。図４−描画部３１では図２−描画部１３のＬＥＤ１５赤色による発色の赤と図３−描画部２２のＬＥＤ２１青色による発色の青との混色によりマゼンダになる。図４−描画部３３では図２−描画部１４のＬＥＤ１５赤色による発色の赤と図３−描画部２６のＬＥＤ２５緑色による発色の緑との混色によりイエローになる。以上により２枚のアクリル板の重ね合わせで７種類の色の表示が可能である。実施例では重ね合わせた２枚のアクリル板のうち一枚のアクリル板のみにスリットを設けたがこれに限定するものではなく、アクリル板２枚の両方に単数或いは複数のスリットをさまざまな大きさ、形、場所に設けることでより多彩な表現をすることが可能になる。
【考案の効果】
【０００９】  本考案の光輝描画部を有する透明体を使用した複数色の表示装置によれば、従来の光輝描画部を有する透明体による多色表示装置より少ない部材でより多くの色の表現が可能になり、表示装置をより薄く軽量に作ることが出来るとともに部材が少ないのでコストも安くすることが可能である。また重ね合わせた透明板の内側に光輝描画部を設け同一平面上で表示することにより違和感の無い多色表示をすることが可能であり、従来の光輝描画部を有する多色表示装置より意匠的に優れるものである。
【図面の簡単な説明】
【００１０】
【図１】  本考案、請求項１の光輝描画部を有する透明体を使用した複数色の表示装置の外観図。
【図２】  本考案、請求項２の光輝描画部を有する透明体を使用した複数色の表示装置の分解図。
【図３】  本考案、請求項２の光輝描画部を有する透明体を使用した複数色の表示装置の分解図。
【図４】  図２、図３を重ね合わせ、正面から見た図。
【符号の説明】
【００１１】  １・・・本体
２・・・アクリル板
３・・・描画部
４・・・描画部
５・・・描画部
６・・・スリット
７・・・ＬＥＤ
８・・・ＬＥＤ
９・・・本体
１０・・・アクリル板
１１・・・描画部
１２・・・描画部
１３・・・描画部
１４・・・描画部
１５・・・ＬＥＤ
１６・・・本体
１７・・・アクリル板
１８・・・描画部
１９・・・描画部
２０・・・描画部
２１・・・ＬＥＤ
２２・・・描画部
２３・・・スリット
２４・・・描画部
２５・・・ＬＥＤ
２６・・・描画部
２７・・・描画部
２８・・・描画部
２９・・・描画部
３０・・・描画部
３１・・・描画部
３２・・・描画部
３３・・・描画部
【図１】
0003124753.tif 000003
【図２】
0003124753.tif 000004
【図３】
0003124753.tif 000005
【図４】
0003124753.tif 000006